(57)【要約】【課題】審美性を損なわず実用的な装着強度を得ることができるとともに、清掃性に優れ食べ滓が溜まりにくい部分床義歯を提供する。【解決手段】部分床義歯１００は、残存歯１１０を有する歯槽堤１２２に着脱可能に装着して用いられる第一義歯床１０と、この第一義歯床１０に対して分離可能に吸着させて用いる第二義歯床３０と、を備えている。歯槽堤１２２に装着された第一義歯床１０と第二義歯床３０とを複数対の永久磁石２４およびキーパー３４で磁力吸着させることにより、第一義歯床１０と第二義歯床３０との位置および向きが規制され、また残存歯１１０のアンダーカット部に人工歯肉部４０が係止されて第一義歯床１０および第二義歯床３０が歯槽堤１２２から離脱することが抑制される。【選択図】図２
2015006253.tif 000002
【特許請求の範囲】
【請求項１】
残存歯を有する歯槽堤に着脱可能に装着して用いられる第一義歯床と、前記第一義歯床に対して分離可能に吸着させて用いる第二義歯床と、を備える部分床義歯であって、
前記第一義歯床および前記第二義歯床は、互いに磁力吸着する複数対の磁石または磁性体が歯列方向に離間した対応位置に設けられた吸着面をそれぞれ有し、
前記第一義歯床または前記第二義歯床は、人工歯と、前記人工歯よりも歯列方向の外側に延在する人工歯肉部を有し、
前記歯槽堤に装着された前記第一義歯床と前記第二義歯床とを複数対の前記磁石または前記磁性体で磁力吸着させることにより、前記第一義歯床と前記第二義歯床との位置および向きが規制されるとともに、前記残存歯のアンダーカット部に前記人工歯肉部が係止されて前記第一義歯床および前記第二義歯床が前記歯槽堤から離脱することが抑制されることを特徴とする部分床義歯。
【請求項２】
前記人工歯が前記第一義歯床に設けられ、前記人工歯肉部が前記第二義歯床に設けられているとともに、前記人工歯肉部が前記人工歯を挟んで前記歯列方向の両外側に達する長さで形成されている請求項１に記載の部分床義歯。
【請求項３】
前記第一義歯床は、前記残存歯を挟んで歯列方向の両側に前記人工歯をそれぞれ備え、
前記第二義歯床は、前記残存歯を挟む両側の前記人工歯に亘る長さの前記人工歯肉部を備えるとともに前記人工歯にそれぞれ対応する位置に前記磁石または前記磁性体が設けられている請求項１または２に記載の部分床義歯。
【請求項４】
前記第二義歯床の前記吸着面は、歯槽頂を超えて前記第一義歯床の内側に進入する凸部を有さない程度に平坦に形成されている請求項１から３のいずれか一項に記載の部分床義歯。
【請求項５】
前記第一義歯床と前記第二義歯床とは、凹溝と、前記凹溝に嵌合する突起部と、をそれぞれ備え、
前記凹溝は、前記残存歯に隣接する前記人工歯において前記残存歯に近接する側に形成され、かつ前記残存歯に向かって端部が開放されている請求項１から４のいずれか一項に記載の部分床義歯。
【請求項６】
前記人工歯が、前記第一義歯床と前記第二義歯床とに分散形成された複数の分割歯を一体に組み合わせてなる請求項１から５のいずれか一項に記載の部分床義歯。
【請求項７】
複数の前記分割歯が咬合方向に互いに係合することを特徴とする請求項６に記載の部分床義歯。
【請求項８】
前記第一義歯床は残存歯に掛止して用いられる鈎部を有し、前記第二義歯床は最奥歯に相当する人工臼歯を有する、片側遊離端義歯である請求項１から７のいずれか一項に記載の部分床義歯。
【請求項９】
前記第一義歯床は、前記磁石または前記磁性体である第一磁性体および第二磁性体を有し、前記第一磁性体と前記第二磁性体とは面直方向が互いに略直交しており、
前記第一磁性体は、前記人工臼歯の裏面に設けられた磁性体または磁石と吸着する請求項８に記載の部分床義歯。
【発明の詳細な説明】
【技術分野】
【０００１】
本発明は、部分床義歯すなわち部分入れ歯に関する。
【背景技術】
【０００２】
入れ歯には大別して総義歯（総入れ歯）と部分床義歯（部分入れ歯）とがある。部分床義歯は、口腔粘膜に密着させて用いる義歯床（床部）と、この義歯床と一体化された人工歯とを備えている。また、義歯床や人工歯には、残存歯を抱え込むように掛止するための鈎部が設けられている。鈎部はクラスプとも呼ばれ、金属材料の鋳造や金属ワイヤーの曲げにより作成されることが一般的である。鈎部が装着される残存歯を鈎歯という。
【０００３】
前歯を喪失して部分床義歯の人工歯に置き換える場合、この前歯に隣接する残存歯、たとえば犬歯や他の前歯が鈎歯となる。しかし、犬歯や前歯は口を開けたときに外部から容易に視認される歯であるため、これらの歯を鈎歯として環状のクラスプを装着することは審美性を欠く。
【０００４】
そこで、審美性を損なわずに、咀嚼動作に不都合が無い実用的な装着強度を得ることができる部分床義歯が提案されている。特許文献１および特許文献２には、人工歯肉を構成する保持部材を人工歯に対してヒンジ揺動可能に取り付け、保持部材を残存歯に押し当てることにより脱落を防止した部分床義歯が記載されている。特許文献１におけるヒンジの揺動軸は歯の咬合面に垂直であり、残存歯の表裏両側に一対の保持部材が設けられている。特許文献２におけるヒンジの揺動軸は歯列方向であり、頬側（外側）の人工歯肉が揺動する。特許文献１および特許文献２の部分床義歯には、保持部材を残存歯に押し当てた状態で互いに吸着する磁石が保持部材と人工歯肉にそれぞれ設けられている。
【０００５】
特許文献３および特許文献４には、人工歯が設けられた主義歯床と、この主義歯床に対して頬側に装着される補助義歯床とが分離可能に構成された部分床義歯の発明が記載されている。特許文献３の主義歯床の表面には有底の２つの凹穴が形成され、補助義歯床の内側面には２つの突起部（貫入ピン、貫入部材）が形成されている。主義歯床の一方の凹穴（ガイド穴）に貫入ピンを挿入し、他方の凹穴（連結穴）に貫入部材を挿入する。貫入部材の先端には金属製のキーパーが装着されており、連結穴の底部に設けられた磁石にキーパーが吸着することで、補助義歯床が主義歯床から脱離することが規制されている。
【０００６】
特許文献４の部分床義歯は、磁石の磁極面が主義歯床の表面に露出しており、また補助義歯床の内側面とキーパーの表面とが面一に構成されている点で特許文献３の部分床義歯と相違する。また、補助義歯床の内側面より突出する突起部は複数本のピンからなり、主義歯床の凹穴は同数の複数個のピン穴からなる。特許文献３および特許文献４の部分床義歯は、補助義歯床から突出する複数本の突起部を位置決めピンとして主義歯床の複数の凹穴に嵌合させることで、主義歯床と補助義歯床との相対的な位置および向きを固定し、この状態で磁石とキーパーとを吸着させるものである。
【先行技術文献】
【特許文献】
【０００７】
【特許文献１】実公平７−４９９３４号公報
【特許文献２】特開２００４−２５４９１１号公報
【特許文献３】特開２００３−１２６１２１号公報
【特許文献４】特開２００４−０８９４４３号公報
【発明の概要】
【発明が解決しようとする課題】
【０００８】
しかしながら、特許文献１や特許文献２の部分床義歯は、保持部材の揺動軸であるヒンジ部分の清掃が容易ではない。ヒンジ部分に食べ滓が溜まると、雑菌が繁殖するだけでなく、ヒンジの揺動動作が損なわれて保持部材が十分に開閉しなくなり、磁石の吸着不良が発生して部分床義歯が歯槽堤から脱落しやすくなるという問題が生じる。
【０００９】
特許文献３や特許文献４の部分床義歯は、特に主義歯床の凹穴の内部に食べ滓が容易に溜まり、また補助義歯床より急峻に突出する突起部の付け根にも食べ滓が溜まりやすいという問題がある。特許文献３や特許文献４の部分床義歯もまた、食べ滓に雑菌が繁殖するだけでなく、凹穴に対して突起部の挿入深さが不十分になると磁石とキーパーとの吸着不良が発生して補助義歯床が主義歯床から脱離しやすくなるという問題がある。
【００１０】
本発明は上述のような課題に鑑みてなされたものであり、審美性を損なわず実用的な装着強度を得ることができるとともに、清掃性に優れ食べ滓が溜まりにくい部分床義歯を提供するものである。
【課題を解決するための手段】
【００１１】
本発明によれば、残存歯を有する歯槽堤に着脱可能に装着して用いられる第一義歯床と、前記第一義歯床に対して分離可能に吸着させて用いる第二義歯床と、を備える部分床義歯であって、前記第一義歯床および前記第二義歯床は、互いに磁力吸着する複数対の磁石または磁性体が歯列方向に離間した対応位置に設けられた吸着面をそれぞれ有し、前記第一義歯床または前記第二義歯床は、人工歯と、前記人工歯よりも歯列方向の外側に延在する人工歯肉部を有し、前記歯槽堤に装着された前記第一義歯床と前記第二義歯床とを複数対の前記磁石または前記磁性体で磁力吸着させることにより、前記第一義歯床と前記第二義歯床との位置および向きが規制されるとともに、前記残存歯のアンダーカット部に前記人工歯肉部が係止されて前記第一義歯床および前記第二義歯床が前記歯槽堤から離脱することが抑制されることを特徴とする部分床義歯が提供される。
【００１２】
上記発明においては、第一義歯床と第二義歯床とが分離可能に吸着させて用いる別体として形成されているため、特許文献１や特許文献２の発明に比して清掃性に優れる。また、上記発明によれば、離間した複数箇所で第一義歯床と第二義歯床とを磁力吸着させるため、特許文献３や特許文献４のように突起部を位置決めピンとして用いることなく第一義歯床と第二義歯床との相対的な位置および向きを合わせることができる。また、本発明の部分床義歯に引抜力を付与した場合には、人工歯肉部が残存歯のアンダーカット部に係止して引抜力に抗する。このため、特許文献３や特許文献４のように突起部を凹穴に嵌合させずとも、第一義歯床と第二義歯床との分離が実質的に磁力吸着のみによって抑えられ、部分床義歯が歯槽堤から離脱することが抑制される。
【発明の効果】
【００１３】
本発明によれば、鈎部（クラスプ）が外部から視認しにくく、かつ実用的な装着強度を得ることができ、清掃性に優れ食べ滓が溜まりにくい部分床義歯が提供される。
【図面の簡単な説明】
【００１４】
【図１】本発明の第一実施形態の部分床義歯を顎模型に装着した状態を示す斜視図である。
【図２】第一実施形態の第一義歯床および第二義歯床、ならびに顎模型の分解斜視図である。
【図３】顎模型に装着された第一実施形態の部分床義歯の正面図である。
【図４】顎模型に装着された第一実施形態の部分床義歯から第二義歯床を分離した状態を示す正面図である。
【図５】図５（ａ）は図３のＡ−Ａ線断面図である。図５（ｂ）は図３のＢ−Ｂ線断面図である。
【図６】第二実施形態の部分床義歯を顎模型に装着した状態を示す斜視図である。
【図７】第二実施形態の第一義歯床および第二義歯床、ならびに顎模型の分解斜視図である。
【図８】顎模型に装着された第二実施形態の部分床義歯の正面図である。
【図９】顎模型に装着された第二実施形態の部分床義歯から第二義歯床を分離している途中の状態を示す正面図である。
【図１０】顎模型に装着された第三実施形態の部分床義歯から第二義歯床を分離した状態を示す正面図である。
【図１１】図１０のXI−XI線断面図である。
【図１２】図１２（ａ）は顎模型に装着された第四実施形態の部分床義歯の斜視図である。図１２（ｂ）は顎模型に装着された第四実施形態の部分床義歯から第二義歯床を分離している途中の状態を示す斜視図である。
【図１３】第四実施形態の部分床義歯を第一義歯床と第二義歯床とに分離した状態を示す斜視図である。
【図１４】顎模型に装着された第五実施形態の部分床義歯の正面図である。
【図１５】顎模型に装着された第五実施形態の部分床義歯から第二義歯床を分離した状態を示す正面図である。
【図１６】図１６（ａ）は第五実施形態の第一義歯床の正面図である。図１６（ｂ）は第五実施形態の第二義歯床の正面図である。図１６（ｃ）は図１４のXVI−XVI線断面図である。
【発明を実施するための形態】
【００１５】
以下、本発明の実施形態を図面に基づいて説明する。尚、すべての図面において、同様な構成要素には同様の符号を付し、重複する説明は適宜省略する。
【００１６】
＜第一実施形態＞
図１は第一実施形態の部分床義歯１００を顎模型１２０に装着した状態を示す斜視図である。図２は本実施形態の第一義歯床１０および第二義歯床３０、ならびに顎模型１２０の分解斜視図である。図３は顎模型１２０に装着された本実施形態の部分床義歯１００の正面図である。図４は顎模型１２０に装着された本実施形態の部分床義歯１００から第二義歯床３０を分離した状態を示す正面図である。
【００１７】
はじめに、本実施形態の部分床義歯１００の概要について説明する。
【００１８】
本実施形態の部分床義歯１００は、残存歯１１０を有する歯槽堤１２２に着脱可能に装着して用いられる第一義歯床１０と、この第一義歯床１０に対して分離可能に吸着させて用いる第二義歯床３０と、を備えている。第一義歯床１０および第二義歯床３０は吸着面１２、３２をそれぞれ有している。吸着面１２、３２には、互いに磁力吸着する複数対の磁石または磁性体（永久磁石２４およびキーパー３４）が歯列方向に離間した対応位置に設けられている。また、第一義歯床１０または第二義歯床３０の一方または両方は、１本または複数本の人工歯２０と、当該人工歯２０よりも歯列方向の外側に延在する人工歯肉部４０を有している。歯槽堤１２２に装着された第一義歯床１０と第二義歯床３０とを上記の複数対の磁石または磁性体（永久磁石２４およびキーパー３４）で磁力吸着させることにより、第一義歯床１０と第二義歯床３０との位置および向きが規制される。そして、第一義歯床１０と第二義歯床３０とを磁力吸着させることで、残存歯１１０のアンダーカット部１１２（図５（ａ）を参照）に人工歯肉部４０が係止されて第一義歯床１０および第二義歯床３０が歯槽堤１２２から離脱することが抑制される。
【００１９】
次に、本実施形態の部分床義歯１００について詳細に説明する。部分床義歯１００は、第一義歯床１０と第二義歯床３０とを一体化することにより、使用者の残存歯１１０に第二義歯床３０を係合させて用いる部分入れ歯である。部分床義歯１００は使用者の口腔内に装着して用いるものであるが、便宜上、本実施形態では使用者の口腔内ではなく顎模型１２０の歯槽堤１２２に部分床義歯１００を装着した状態を図示して本発明を説明する。第二実施形態以降も同様である。
【００２０】
図１等では下顎の顎模型１２０を例示するが、本実施形態の部分床義歯１００は上顎にも下顎にも用いることができる。第一義歯床１０または第二義歯床３０の一方または両方に人工歯２０が立設されている。人工歯２０と残存歯１１０とを区別するため、人工歯２０には部分的にハッチングを付してある。第二実施形態以降も同様である。
【００２１】
本実施形態では、人工歯２０が第一義歯床１０に設けられ、人工歯肉部４０が第二義歯床３０に設けられている態様を例示する。第二義歯床３０の人工歯肉部４０は、部分床義歯１００の使用時に、すなわち第二義歯床３０を第一義歯床１０に磁力吸着させた状態で、第一義歯床１０の人工歯２０を挟んで歯列方向の両外側に達する長さで形成されている。より具体的には、第二義歯床３０の人工歯肉部４０は、４本の人工歯２０を挟んで歯列方向（図３の左右方向）の両外側に亘る長さで構成されている。
【００２２】
第一義歯床１０は、１本以上の人工歯２０と、口腔粘膜に密着させる義歯床１１と、第二義歯床３０と磁力吸着するための磁石または磁性体と、を備えている。義歯床１１を口腔粘膜に密着させることで、歯槽堤における喪失した歯の位置に人工歯２０が配置される。本実施形態の第一義歯床１０は、磁石または磁性体の例として、永久磁石２４を備えている。永久磁石２４としては、ネオジム磁石（ＮｄＦｅＢ磁石）を用いることができる。永久磁石２４の磁極面の形状は特に限定されないが、直径２ｍｍ以上３ｍｍ以下の円形とすることができる。永久磁石２４と吸着するキーパー３４は、永久磁石２４と同一の形状および寸法であることが好ましい。これにより、第一義歯床１０と第二義歯床３０とを磁力吸着させたときに、永久磁石２４とキーパー３４とが、吸着面１２、３２の面内方向に相対的にずれあうことなく密着する。
【００２３】
人工歯２０は硬質樹脂材料で作成することができる。義歯床１１は金属または樹脂材料からなる。義歯床１１には、クラスプ１４が１箇所または複数箇所に設けられている。クラスプ１４は、義歯床１１と同一材料で一体形成されていてもよく、または別部材で作成されて義歯床１１に固着されていてもよい。本実施形態では、義歯床１１およびクラスプ１４が金属材料で一体形成されている態様を例示する。クラスプ１４としては、残存歯１１０に周着される環状クラスプ１４ａのほか、残存歯１１０の内側面（舌側の面）に当接して用いられる片状のバークラスプ１４ｂが設けられている。環状クラスプ１４ａは外部から視認しにくい大臼歯に装着され、バークラスプ１４ｂは外部から視認しやすい前歯や小臼歯の内側面に当接させて用いる。環状クラスプ１４ａはバークラスプ１４ｂよりも保持力が強く、第一義歯床１０を歯槽堤に安定して固定することにより寄与する。本実施形態では、使用者が口を開けたときにクラスプ１４は外部から視認されにくくなるよう、前歯や小臼歯に対してはバークラスプ１４ｂを用い、環状クラスプ１４ａは大臼歯に対してのみ使用している。そして、クラスプ１４による第一義歯床１０の固定力の低下を、第二義歯床３０の使用によって補助する。
【００２４】
本実施形態の部分床義歯１００では、歯槽堤１２２の歯槽頂１２４を跨いで第一義歯床１０が装着される。第二義歯床３０は歯肉の外側面に密着させて、すなわち歯肉と頬との間に装着される。第一義歯床１０は第二義歯床３０に対して大型であり、部分床義歯１００のほぼ全体積を占めている。
【００２５】
第二義歯床３０は、人間の歯肉（歯茎）を模した人工歯肉部４０と、磁石または磁性体と、を備えている。第二義歯床３０は第一義歯床１０に着脱させて用いられる。第二義歯床３０を可撤側義歯床と呼称する場合がある。本実施形態の第二義歯床３０は、磁性体として、軟磁性ステンレス鋼などの強磁性金属からなるキーパー３４を備えている。なお、金属製のキーパー３４に代えて、第一義歯床１０の永久磁石２４と磁力吸着する他の永久磁石を用いてもよい。
【００２６】
第二義歯床３０は、第四実施形態（図１２（ａ）を参照）や第五実施形態（図１４を参照）のように人工歯（人工臼歯２２や分割歯２１ｂ）を備えていてもよい。
【００２７】
第一義歯床１０と第二義歯床３０とは吸着面１２、３２によって互いに密着する。第一義歯床１０の吸着面１２には、永久磁石２４の表面（磁極面）が面一に露出して設けられている（図４を参照）。一方、第二義歯床３０の吸着面３２には、キーパー３４の表面が面一に露出して設けられている（図２を参照）。第一義歯床１０の吸着面１２および第二義歯床３０の吸着面３２は、互いに対応する滑らかな湾曲形状をなしている。吸着面１２、３２は、いずれも人工歯２０の歯列に沿って湾曲している。
【００２８】
人工歯肉部４０は、第二義歯床３０を第一義歯床１０に磁力吸着させた状態で、第一義歯床１０の人工歯２０よりも歯列方向の少なくとも一方側の外側に延在している。本実施形態の人工歯肉部４０は、複数本の人工歯２０を挟んで歯列方向の両側に延在している。より具体的には、図３に示すように、第一義歯床１０は、連続して並ぶ４本の前歯に相当する人工歯２０を備えている。これらの４本の人工歯２０の両側にそれぞれ隣接する残存歯１１０が鈎歯となり、バークラスプ１４ｂが鈎歯の内側面に当接する（図１を参照）。
【００２９】
本実施形態の第二義歯床３０の吸着面３２は、第一義歯床１０の人工歯２０および使用者の残存歯１１０の外側面の凹凸に密接する相補的な凹凸形状を有していることを除き、実質的に突起部がない平坦面である。すなわち、第二義歯床３０の吸着面３２は、歯槽頂１２４（図５（ｂ）を参照）を超えて第一義歯床１０の内側に進入する凸部を有さない程度に平坦である。このため、第一義歯床１０および第二義歯床３０には食べ滓が溜まりにくく、また清掃性に優れる。本実施形態において吸着面３２が平坦面であるとは、凹凸が存在しない平面または滑らかな曲面のほか、歯槽堤１２２の中心にあたる歯槽頂１２４まで到達しない程度の小さな凹凸が存在する曲面を含む。第二実施形態以下も同様である。
【００３０】
図４に示すように、第一義歯床１０の吸着面１２の外側面には、歯列方向に離間した位置に、複数の永久磁石２４の平坦な磁極面が露出している。すなわち、永久磁石２４の磁極面は、人間の歯茎を模した曲面形状をもつ吸着面１２に対して面一に設けられ、キーパー３４は同じく人間の歯茎を模した曲面形状をもつ人工歯肉部４０の吸着面３２に対して面一に設けられている。これにより、永久磁石２４およびキーパー３４が吸着面１２、３２から突出することなく、吸着面１２と３２とを磁力吸着させることができる。複数の永久磁石２４は、人工歯２０における歯肉乳頭部４２または乳頭間凹部４４を挟んで両側に設けられている。歯肉乳頭部４２は、第一義歯床１０の義歯床１１のうち、隣接する人工歯２０同士の間の領域であり、人間の口腔内において隣接する歯同士の間で歯肉が乳頭状に伸張している部位を模したものである。乳頭間凹部４４は、第一義歯床１０の義歯床１１のうち、歯肉乳頭部４２の間の部位であり、人間の口腔内において歯冠の根元部で歯肉が凹形状に後退している部位を模したものである。本実施形態の第一義歯床１０では、複数本の人工歯２０それぞれに対応する乳頭間凹部４４を挟む両側に、永久磁石２４が配置されている。また、本実施形態の第一義歯床１０は、３本以上（具体的には４本）の人工歯２０が歯列方向に隙間なく並んで横並びに立設されている。その横並びの複数本のうち最も外側の両側の人工歯２０と、その各内側に隣接する他の人工歯２０との中間位置に、永久磁石２４がそれぞれ配置されている。
【００３１】
第二義歯床３０は、これらの永久磁石２４に対応する位置にキーパー３４をそれぞれ備え、また横並びの人工歯２０の外側に隣接する１本分の残存歯１１０まで覆う長さで人工歯肉部４０が形成されている。人工歯肉部４０は、人工歯２０および残存歯１１０が嵌合する複数の歯肉凹部４６を有している。複数本の横並びの人工歯２０のうちの最も外側の人工歯２０の近傍に永久磁石２４が配置されていることで、永久磁石２４とキーパー３４との磁力吸着力は人工歯肉部４０の両端まで及ぶ。このため、残存歯１１０のアンダーカット部１１２に係止した人工歯肉部４０は、容易に第一義歯床１０から脱落することがない。
【００３２】
ここで、残存歯１１０のアンダーカット部１１２について説明する。人間の歯のうち、先端側の歯冠と、付け根側の歯根との境界を歯頸線という。人間の歯は、切歯（前歯）および臼歯（奥歯）とも、歯冠のうち最も膨らんだ部位から歯頸線にかけて、周回状にくびれた凹状の歯頸部を有している。臼歯は上顎および下顎とも、顎の上下動方向（咬合方向）に対して平行または僅かに内側（舌側）傾斜して起立している。これに対し、切歯、特に上顎中切歯や上顎側切歯は、咬合方向に対して僅かに外側（頬側：唇側）に傾斜して起立している。本実施形態にいう残存歯１１０のアンダーカット部１１２とは、歯冠のうち、第二義歯床３０の装着側（本実施形態では外側）に最も膨らんだ部位から歯根までの領域をいう。言い換えると、残存歯１１０を咬合方向に射影した場合に、第二義歯床３０の装着側において影になる部分領域をアンダーカット部１１２という。残存歯１１０が咬合方向と平行に起立している場合、歯頸部の近傍がアンダーカット部１１２にあたる。残存歯１１０が出っ歯で先端部が外側に突出している場合は、当該先端部を除く歯冠の略全体がアンダーカット部１１２となる。本実施形態のアンダーカット部１１２は、歯頸部と、歯冠のうち歯頸部よりも先端側の一部領域と、を含む。第二実施形態以降のアンダーカット部１１２も同様である。
【００３３】
図３に示すように、第二義歯床３０のキーパー３４を第一義歯床１０の永久磁石２４に磁力吸着させたとき、人工歯肉部４０は、４本の人工歯２０の両側に隣接する残存歯１１０のアンダーカット部１１２に当接する。人工歯肉部４０が残存歯１１０の歯根側から先端側に向かってアンダーカット部１１２に突き当たることにより、第二義歯床３０が残存歯１１０に係止される。これにより、第二義歯床３０と一体化した第一義歯床１０が歯槽堤から離脱することが防止される。
【００３４】
図５（ａ）は図３のＡ−Ａ線断面図であり、残存歯１１０のアンダーカット部１１２に第二義歯床３０の人工歯肉部４０の先端が係止された状態を示す縦断面図である。図５（ａ）では、アンダーカット部１１２のうち、特に歯頸部に対して人工歯肉部４０が係止されている状態を図示している。図５（ｂ）は図３のＢ−Ｂ線断面図であり、第一義歯床１０と第二義歯床３０を、永久磁石２４およびキーパー３４を通る切断面で切った縦断面図である。
【００３５】
環状クラスプ１４ａを残存歯１１０（臼歯）に装着する場合、環状クラスプ１４ａが臼歯の歯冠を通過する必要がある。環状クラスプ１４ａが容易に脱落しないよう、歯冠よりも細幅でアンダーカットされた歯頸部に環状クラスプ１４ａを装着することが好ましい。このため、図１や図２に示すように、環状クラスプ１４ａを弾性変形が容易な開環状に形成し、残存歯１１０（臼歯）の歯冠を通過可能としている。しかし、開環状の環状クラスプ１４ａは歯頸部からの抜去も容易であり、第一義歯床１０を歯槽堤１２２（図２を参照）に対して環状クラスプ１４ａのみで強固に密着させることは難しい。これに対し、本実施形態のように第二義歯床３０を外側（頬側）から第一義歯床１０に磁力吸着させて歯頸部などのアンダーカット部１１２に係止させることで、容易かつ強固に部分床義歯１００を歯槽堤１２２に固定することができる。
【００３６】
図５（ｂ）に示すように、第一義歯床１０の吸着面１２および第二義歯床３０の吸着面３２は、人工歯２０の歯根部２５を支持する歯肉部分を、人工歯２０の突出方向と略平行な平面または湾曲面によって、歯肉部分の厚み方向の中間位置で切断した切断面である。人工歯２０の突出方向とは、人工歯２０の歯根部２５から先端部２６に向かう方向であり、図５（ｂ）の上下方向である。
【００３７】
＜第二実施形態＞
図６は第二実施形態の部分床義歯１００を顎模型１２０に装着した状態を示す斜視図である。図７は本実施形態の第一義歯床１０および第二義歯床３０、ならびに顎模型１２０の分解斜視図である。図８は顎模型１２０に装着された本実施形態の部分床義歯１００の正面図である。図９は顎模型１２０に装着された本実施形態の部分床義歯１００から第二義歯床３０を分離している途中の状態を示す正面図である。図８および図９では上顎の顎模型１２０を例示するが、本実施形態の部分床義歯１００は上顎にも下顎にも用いることができる。
【００３８】
第一実施形態の部分床義歯１００は、第一義歯床１０の人工歯２０の両外側にある２本の残存歯１１０に跨るようにして第二義歯床３０の人工歯肉部４０が装着される。これに対し、第二実施形態の部分床義歯１００は、残存歯１１０の両外側にある各１本以上の人工歯２０ａ、２０ｂに跨るようにして第二義歯床３０の人工歯肉部４０が装着される。
【００３９】
すなわち、本実施形態の第一義歯床１０は、残存歯１１０を挟んで歯列方向の両側に人工歯２０ａ、２０ｂをそれぞれ備えている。第二義歯床３０は、残存歯１１０を挟む両側の人工歯２０ａ、２０ｂに亘る長さの人工歯肉部４０を備えている。そして第二義歯床３０には、人工歯２０ａ、２０ｂにそれぞれ対応する位置に磁石または磁性体（キーパー３４）が設けられている。
【００４０】
第一義歯床１０の吸着面１２は永久磁石２４の近傍に局所的に設けられている。第二義歯床３０の吸着面３２は、人工歯肉部４０の内側面のうち、キーパー３４の近傍の局所領域である。
【００４１】
残存歯１１０に隣接して配置される人工歯２０ａ、２０ｂの近傍に永久磁石２４がそれぞれ設けられている。本実施形態の第二義歯床３０は、人工歯２０ａ、２０ｂに亘る長さで作成されている。第二義歯床３０の人工歯肉部４０の両端近傍にそれぞれキーパー３４が設けられている。人工歯肉部４０は、両端に設けられたキーパー３４よりも内側に、複数本の残存歯１１０が個別に嵌合する複数の歯肉凹部４６を有している。キーパー３４と永久磁石２４とを磁力吸着させると、歯肉凹部４６は、残存歯１１０のアンダーカット部１１２に当接する。本実施形態の第二義歯床３０は、歯列方向に並ぶ３本以上の残存歯１１０に対して係合する。第一義歯床１０を歯槽堤１２２から引き剥がそうとする力は、第二義歯床３０を介して当該３本以上の残存歯１１０に分散して負荷される。このため、高い装着強度を得ることができる。
【００４２】
また、本実施形態の部分床義歯１００は、１個の第一義歯床１０に対して、複数個の第二義歯床３０を装着して用いる点で第一実施形態と相違する。
【００４３】
第二義歯床３０を第一義歯床１０に装着する場合、複数個のキーパー３４を同時に永久磁石２４に吸着させてもよいが、キーパー３４を一個ずつ順番に永久磁石２４に吸着させてもよい。図９は、奥歯側のキーパー３４ａのみを永久磁石２４に吸着させた状態を示している。このように、奥歯側で第一義歯床１０と第二義歯床３０とを吸着させてから、キーパー３４ａを支点にして第二義歯床３０を回動させながら、もう一方のキーパー３４ｂを永久磁石２４に吸着させてもよい。これにより、第二義歯床３０の装着不良がなく、キーパー３４ａ、３４ｂを確実に永久磁石２４に吸着させることができる。第二義歯床３０を第一義歯床１０から取り外す際も同様である。一方のキーパー３４（たとえば前歯側のキーパー３４ｂ）のある人工歯肉部４０の端部をスライドさせてキーパー３４を永久磁石２４から離間させたのちに、この端部を摘んで第二義歯床３０を引っ張るとよい。これにより、他方のキーパー３４（キーパー３４ａ）を容易に永久磁石２４から取り外すことができる。
【００４４】
＜第三実施形態＞
図１０は顎模型１２０に装着された第三実施形態の部分床義歯１００から第二義歯床３０を分離した状態を示す正面図である。第二義歯床３０は図示省略している。図１１は図１０のXI−XI線断面図である。
【００４５】
第三実施形態の部分床義歯１００は、第一義歯床１０と第二義歯床３０とは、凹溝１６と、この凹溝１６に嵌合する突起部３６と、をそれぞれ備えている点で第二実施形態と相違し、その他の点で共通する。凹溝１６は、残存歯１１０に隣接する人工歯２０ａにおいて残存歯１１０に近接する側に形成され、かつ残存歯１１０に向かって端部１８が開放されている。
【００４６】
凹溝１６は、第一義歯床１０の吸着面１２に削成されている。突起部３６は、凹溝１６に嵌合する形状および寸法の筋状をなし、第二義歯床３０の吸着面３２より突出形成されている。凹溝１６の深さ方向は永久磁石２４の磁極面の法線方向と一致しているか、または磁極面の法線方向成分を含む。突起部３６の突出方向は凹溝１６の深さ方向に対応しており、本実施形態ではキーパー３４の表面の法線方向と一致している。
【００４７】
凹溝１６および突起部３６の長手方向は、歯列方向の方向成分を含むことが好ましい。本実施形態の部分床義歯１００における凹溝１６の長手方向は歯列方向と一致している。凹溝１６は永久磁石２４の近傍に形成されている。具体的には、永久磁石２４に最も近接する人工歯２０と、凹溝１６に最も近接する人工歯２０とは共通している。第二義歯床３０は複数の突起部３６を備えている。具体的には、第二義歯床３０のうち歯列方向の両側にそれぞれ突起部３６は形成されている。凹溝１６は、突起部３６にそれぞれ対応する位置に、すなわち複数箇所に形成されている。端部１８の開放方向は、複数の凹溝１６において互いに反対である。これにより、第二義歯床３０が第一義歯床１０に対して歯列方向に相対移動しようとしても、一方の突起部３６が凹溝１６に嵌合して係止された状態となるため、この相対移動が規制される。一方、第二義歯床３０が第一義歯床１０に対して咬合方向に相対移動しようとしても、凹溝１６は咬合方向には開放されていないため、複数の突起部３６が凹溝１６に嵌合して係止された状態となり、この相対移動が規制される。
【００４８】
図１１に示すように、本実施形態の凹溝１６は、永久磁石２４と、人工歯２０におけるアンダーカット部２７との間に形成されている。人工歯肉部４０の先端は、当該人工歯２０のアンダーカット部２７に突き当てられて係止している。
【００４９】
歯槽堤１２２から第一義歯床１０の義歯床１１を離間させる、すなわち図１１において義歯床１１を歯槽堤１２２から持ち上げようとすると、義歯床１１の凹溝１６に嵌合した突起部３６もまた持ち上げられる。このため、第二義歯床３０と第一義歯床１０とは一体に固着した状態を維持する。一方、第二義歯床３０の人工歯肉部４０は残存歯１１０のアンダーカット部１１２に係止している（第二実施形態：図８を参照）ため、第一義歯床１０は歯槽堤１２２から離脱しない。第二義歯床３０が第一義歯床１０から分離すれば第一義歯床１０は歯槽堤１２２から離脱可能となるが、第二義歯床３０が第一義歯床１０から分離するためには永久磁石２４とキーパー３４とが離間する必要がある。ここで、磁石と磁性体とは、接合面（磁石の磁極面および磁性体の表面）の面内では互いに容易に摺動するが、接合面の面直（法線）方向に離間させるためには、引き剥がし方向に大きな力を要する。したがって、磁石と磁性体とを離間させるには、面内方向に大きく摺動させて両者をずらし、接合面の面積を減少させて吸着力を低減させることが必要になる。これに対し、本実施形態では、永久磁石２４の近傍に凹溝１６が形成されており、永久磁石２４の法線方向に向かって突起部３６が凹溝１６に嵌入している。そして、凹溝１６の長手方向は歯列方向であって、第一義歯床１０の引き剥がし方向には凹溝１６と突起部３６とは相対移動しない。このため、第一義歯床１０を歯槽堤１２２から引き剥がそうとしても永久磁石２４とキーパー３４とが互いにずれあうことはなく、両者は離間しない。このため、第一義歯床１０と第二義歯床３０とは強固に一体化した状態で残存歯１１０のアンダーカット部１１２に係止されている。
【００５０】
図１１に示すように、凹溝１６の深さおよび突起部３６の突出高さは永久磁石２４やキーパー３４の厚み寸法と同程度に小さい。凹溝１６は、義歯床１１が嵌装される歯槽頂１２４、すなわち歯槽堤１２２の中心に到達しない程度に浅く形成されている。言い換えると、突起部３６が形成された第二義歯床３０の吸着面３２は十分に平坦であって、歯槽頂１２４を超えて第一義歯床１０の内側に進入する凸部を有していない。また、凹溝１６は残存歯１１０に向かって端部１８が開放された開放溝である。このため、凹溝１６の内部に食べ滓は溜まりにくく、また第一義歯床１０を洗浄または清掃すると凹溝１６の内部は容易に清浄化される。
【００５１】
本実施形態の凹溝１６は、複数個の永久磁石２４ごとに、その近傍に形成されている。ただし、本実施形態に代えて、一部の永久磁石２４に関しては、その近傍に凹溝１６が形成されていなくてもよい。
【００５２】
上記第一から第三実施形態では、人工歯２０を有する大型の第一義歯床１０が歯槽堤１２２の歯槽頂１２４に装着され、第二義歯床３０は小型の片状で第一義歯床１０の離脱防止のために歯肉の外側面に密着させて補助的に用いられる態様を例示した。これらの実施形態に代えて、第一義歯床１０と第二義歯床３０を同程度の寸法で作成し、歯槽堤１２２の歯槽頂１２４を挟んで内側（舌側）と外側（頬側）にそれぞれ装着してもよい（第五実施形態を参照）。
【００５３】
また、上記第一から第三実施形態では、人工歯２０を有する第一義歯床１０を歯槽堤１２２から内側（舌側）に装着する態様を例示したが、本発明はこれに限られない。人工歯２０を有する第一義歯床１０を歯槽堤１２２から外側（頬側）に亘って配置し、第二義歯床３０を歯槽堤１２２の内側（舌側）に配置してもよい。臼歯のように外側（頬側）のみならず内側（舌側）にもアンダーカット部１１２が存在する残存歯１１０に対しては、人工歯肉部４０を内側に係止させてもよい。さらに、第一義歯床１０および第二義歯床３０が、ともに残存歯１１０のアンダーカット部１１２に対して係止してもよい。残存歯１１０が臼歯の場合、第一義歯床１０の義歯床１１を残存歯１１０の内側のアンダーカット部１１２に係止させ、さらに第二義歯床３０の人工歯肉部４０を当該残存歯１１０の外側のアンダーカット部１１２に係止させてもよい。
【００５４】
＜第四実施形態＞
図１２（ａ）は顎模型１２０に装着された第四実施形態の部分床義歯１００の斜視図である。図１２（ｂ）は顎模型１２０に装着された本実施形態の部分床義歯１００から第二義歯床３０を分離している途中の状態を示す斜視図である。図１３は本実施形態の部分床義歯１００を第一義歯床１０と第二義歯床３０とに分離した状態を示す斜視図である。
【００５５】
本実施形態の部分床義歯１００は、遊離端欠損部に装着される片側遊離端義歯である。第一義歯床１０は、残存歯１１０に掛止して用いられる鈎部（クラスプ１４）を有している。第二義歯床３０は、最奥歯に相当する人工臼歯２２を有している。最奥歯とは、第二大臼歯または第三大臼歯である。
【００５６】
第一義歯床１０の義歯床１１には１本または複数本の人工歯２０が立設されている。本実施形態では１本の人工歯２０が義歯床１１に設けられている。本実施形態の人工歯２０は第二大臼歯に相当する。第二義歯床３０の人工臼歯２２は第三大臼歯に相当する。人工臼歯２２の裏面にキーパー３４ａが装着されている。
【００５７】
図１３に示すように、第一義歯床１０は、磁石または磁性体である第一磁性体２４ａおよび第二磁性体２４ｂを有している。第一磁性体２４ａと第二磁性体２４ｂとは面直方向が互いに略直交している。矢印で示すように、第一磁性体２４ａは、人工臼歯２２の裏面に設けられた他の磁性体または磁石（キーパー３４ａ）と吸着する。また、第二磁性体２４ｂは他のキーパー３４ｂと吸着する。
【００５８】
より具体的には、第一磁性体２４ａおよび第二磁性体２４ｂは永久磁石である。第二義歯床３０には、第一磁性体２４ａに対応する位置にキーパー３４ａが装着され、第二磁性体２４ｂに対応する位置にキーパー３４ｂが装着されている。第一磁性体２４ａの磁極面は人工歯２０の立設方向と同じく、歯の咬合方向を向いている。第二磁性体２４ｂの磁極面は、舌側から頬側に向かう外向きである。すなわち、第一磁性体２４ａの磁極面と第二磁性体２４ｂの磁極面とは直交している。
【００５９】
図１２（ｂ）に示すように、残存歯１１０を鈎歯としてクラスプ１４を当接させた状態で第一義歯床１０を顎模型１２０に装着する。この状態で、人工臼歯２２を第三大臼歯の位置に配置し、キーパー３４ｂを、第一義歯床１０の第一磁性体２４ａ（図１３を参照）に磁力吸着させる。これにより、人工臼歯２２を軸として第二義歯床３０は回動自在となる。この状態で、図１２（ａ）に示すように人工歯肉部４０を人工歯２０および残存歯１１０に押し当てると、人工歯肉部４０の中間部に配置されたキーパー３４ｂは、人工歯２０の歯根側に配置された第二磁性体２４ｂに対して磁力吸着する。人工歯肉部４０の歯肉凹部４６は、残存歯１１０のアンダーカット部１１２に当接して係止される。これにより、第一義歯床１０と第二義歯床３０とは一体に固着して部分床義歯１００となり、残存歯１１０に係止されて脱落が防止される。
【００６０】
以上、第一から第四実施形態では、いずれも第一義歯床１０がクラスプ１４（環状クラスプ１４ａまたはバークラスプ１４ｂ）を備える態様を例示したが、本発明はこれに限られない。
【００６１】
＜第五実施形態＞
図１４は顎模型１２０に装着された第五実施形態の部分床義歯１００の正面図である。図１５は顎模型１２０に装着された本実施形態の部分床義歯１００から第二義歯床３０を分離した状態を示す正面図である。図１６（ａ）は本実施形態の第一義歯床１０の正面図である。図１６（ｂ）は本実施形態の第二義歯床３０の正面図である。図１６（ｃ）は図１４のXVI−XVI線断面図である。
【００６２】
本実施形態の部分床義歯１００は、クラスプ１４を有しておらず、差し歯のごとく歯の欠損部に装着して用いられる。
【００６３】
人工歯２０は、第一義歯床１０と第二義歯床３０とに分散形成された複数の分割歯２１ａ、２１ｂを一体に組み合わせてなる。すなわち、本実施形態の第一義歯床１０および第二義歯床３０は、いずれも人工歯２０を有している。第二義歯床３０の吸着面３２は人工歯肉部４０の内側面であり、第一義歯床１０の吸着面１２と密着する相補的な形状をなしている。第一義歯床１０の吸着面１２は義歯床１１の外側面である。吸着面１２には永久磁石２４の磁極面が面一に配置されており、吸着面３２にはキーパー３４の表面が面一に配置されている点で第一から第四実施形態と共通する。
【００６４】
本実施形態の人工歯２０は、歯槽頂１２４の内側（舌側）と外側（頬側）とに分割形成されている。これに代えて、歯列方向に分割形成してもよい。
【００６５】
第一義歯床１０の義歯床１１は歯槽堤１２２に密着させて用いる。また、義歯床１１は、図１４に示すように部分床義歯１００に隣接する残存歯１１０の内側面に密着させる。歯槽堤１２２に装着された第一義歯床１０に対して、第二義歯床３０を覆い被せるようにして組み合わせることで本実施形態の部分床義歯１００は構成される。
【００６６】
人工歯肉部４０は、人工歯２０（分割歯２１ｂ）を挟んで歯列方向の両外側に形成されている。永久磁石２４とキーパー３４とを磁力吸着させると、人工歯肉部４０は、部分床義歯１００に隣接する残存歯１１０のアンダーカット部１１２（図１５を参照）の外側面に密着して係止される。これにより、部分床義歯１００が歯槽堤１２２から脱離することが抑制される。
【００６７】
本実施形態の部分床義歯１００では、それぞれ複数個（具体的には２個）の永久磁石２４とキーパー３４が歯列方向（図１４の左右方向）に並んで配置されている。複数対の永久磁石２４およびキーパー３４を磁力吸着させることで、第一義歯床１０と第二義歯床３０との位置および向きが固定される。
【００６８】
複数の分割歯２１ａ、２１ｂは、咬合方向（上下方向）に互いに係合する。図１６（ｃ）に示すように、第二義歯床３０の分割歯２１ｂに矢尻状の庇部２３が一体形成されている。庇部２３を分割歯２１ａの上に被せることで、咀嚼した場合の咬合力は分割歯２１ｂの庇部２３から分割歯２１ａに伝達されて分割歯２１ａを押し込む力となる。すなわち、咬合力によって永久磁石２４とキーパー３４とがずれることはない。そして、歯槽堤１２２の歯槽頂１２４の外側の分割歯２１ｂと、内側の分割歯２１ａとに咬合力が分散されるため、安定した咀嚼力を得ることができる。また、庇部２３が分割歯２１ａに被さっていることで、吸着面１２と吸着面３２との間に食べ滓が進入することがない。
【００６９】
上記実施形態では、歯列方向に離間した位置に、互いに磁力吸着する複数対の磁石または磁性体が配置されている態様を説明した。本実施形態に代えて、一対の永久磁石２４およびキーパー３４のみを用いて第一義歯床１０と第二義歯床３０とを磁力吸着させてもよい。
【００７０】
すなわち、本実施形態は以下の技術思想を包含する。
残存歯を有する歯槽堤における歯槽頂の内側に着脱可能に装着される第一義歯床と、前記歯槽頂の外側に着脱可能に装着し前記第一義歯床に対して分離可能に吸着させて用いる第二義歯床と、を備え、以下の（ａ）から（ｄ）の要件を具備する部分床義歯；
（ａ）前記第一義歯床および前記第二義歯床は、互いに磁力吸着する一対または複数対の磁石または磁性体が設けられた吸着面をそれぞれ有している；
（ｂ）前記部分床義歯は、前記第一義歯床と前記第二義歯床とに分散形成された複数の分割歯を一体に組み合わせて構成される人工歯を有している；
（ｃ）前記第一義歯床または前記第二義歯床の一方または両方は、前記人工歯よりも歯列方向の外側に延在する人工歯肉部を有している；
（ｄ）前記歯槽堤に装着された前記第一義歯床または前記第二義歯床の一方に対して他方を前記磁力または前記磁性体で磁力吸着させることにより、前記人工歯に隣接する前記残存歯のアンダーカット部に前記人工歯肉部が係止されて前記第一義歯床および前記第二義歯床が前記歯槽堤から離脱することが抑制される。
【００７１】
上記の部分床義歯によれば、咬合力が歯槽頂の外側と内側の分割歯に分散して負荷されるため安定した咀嚼力を得ることができる。また、人工歯肉部を残存歯のアンダーカット部に係止することで第一義歯床と第二義歯床が歯槽堤から離脱することを抑制するため、従来の差し歯のように歯根に支台を立設する必要がなく、隣接する残存歯を削ってブリッジを被せる必要もない。このため、かかる部分床義歯は、歯根が欠損した歯槽堤に対しても装着することができ、残存歯への負担も少ない。
【００７２】
なお、本発明は上述の実施形態に限定されるものではなく、本発明の目的が達成される限りにおける種々の変形、改良等の態様も含む。
たとえば上記実施形態においては、永久磁石２４の磁極面およびキーパー３４の表面が吸着面１２、３２と面一になっていることを例示したが、本発明はこれに限られない。永久磁石２４の磁極面またはキーパー３４の表面が、歯槽頂１２４まで到達しない程度に僅かに吸着面１２、３２から突出していてもよい。
【００７３】
本発明の部分床義歯１００の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。すなわち、上記実施形態では第一義歯床１０が一部品からなり、第二義歯床３０が一または複数の部品からなることを例示したが、本発明はこれに限られない。
【００７４】
上記実施形態は、以下の技術思想を包含するものである。
（１）残存歯を有する歯槽堤に着脱可能に装着して用いられる第一義歯床と、前記第一義歯床に対して分離可能に吸着させて用いる第二義歯床と、を備える部分床義歯であって、前記第一義歯床および前記第二義歯床は、互いに磁力吸着する複数対の磁石または磁性体が歯列方向に離間した対応位置に設けられた吸着面をそれぞれ有し、前記第一義歯床または前記第二義歯床は、人工歯と、前記人工歯よりも歯列方向の外側に延在する人工歯肉部を有し、前記歯槽堤に装着された前記第一義歯床と前記第二義歯床とを複数対の前記磁石または前記磁性体で磁力吸着させることにより、前記第一義歯床と前記第二義歯床との位置および向きが規制されるとともに、前記残存歯のアンダーカット部に前記人工歯肉部が係止されて前記第一義歯床および前記第二義歯床が前記歯槽堤から離脱することが抑制されることを特徴とする部分床義歯。
（２）前記人工歯が前記第一義歯床に設けられ、前記人工歯肉部が前記第二義歯床に設けられているとともに、前記人工歯肉部が前記人工歯を挟んで前記歯列方向の両外側に達する長さで形成されている上記（１）に記載の部分床義歯。
（３）前記第一義歯床は、前記残存歯を挟んで歯列方向の両側に前記人工歯をそれぞれ備え、前記第二義歯床は、前記残存歯を挟む両側の前記人工歯に亘る長さの前記人工歯肉部を備えるとともに前記人工歯にそれぞれ対応する位置に前記磁石または前記磁性体が設けられている上記（１）または（２）に記載の部分床義歯。
（４）前記第二義歯床の前記吸着面は、歯槽頂を超えて前記第一義歯床の内側に進入する凸部を有さない程度に平坦に形成されている上記（１）から（３）のいずれか一項に記載の部分床義歯。
（５）前記第一義歯床と前記第二義歯床とは、凹溝と、前記凹溝に嵌合する突起部と、をそれぞれ備え、前記凹溝は、前記残存歯に隣接する前記人工歯において前記残存歯に近接する側に形成され、かつ前記残存歯に向かって端部が開放されている上記（１）から（４）のいずれか一項に記載の部分床義歯。
（６）前記人工歯が、前記第一義歯床と前記第二義歯床とに分散形成された複数の分割歯を一体に組み合わせてなる上記（１）から（５）のいずれか一項に記載の部分床義歯。
（７）複数の前記分割歯が咬合方向に互いに係合することを特徴とする上記（６）に記載の部分床義歯。
（８）前記第一義歯床は残存歯に掛止して用いられる鈎部を有し、前記第二義歯床は最奥歯に相当する人工臼歯を有する、片側遊離端義歯である上記（１）から（７）のいずれか一項に記載の部分床義歯。
（９）前記第一義歯床は、前記磁石または前記磁性体である第一磁性体および第二磁性体を有し、前記第一磁性体と前記第二磁性体とは面直方向が互いに略直交しており、前記第一磁性体は、前記人工臼歯の裏面に設けられた前記他の磁性体または磁石と吸着する上記（８）に記載の部分床義歯。
【符号の説明】
【００７５】
１０：第一義歯床、１１：義歯床、１２・３２：吸着面、１４：クラスプ、１４ａ：環状クラスプ、１４ｂ：バークラスプ、１６：凹溝、１８：端部、２０・２０ａ・２０ｂ：人工歯、２１ａ・２１ｂ：分割歯、２２：人工臼歯、２３：庇部、２４：永久磁石、２４ａ：第一磁性体、２４ｂ：第二磁性体、２５：歯根部、２６：先端部、２７：アンダーカット部、３０：第二義歯床、３４・３４ａ・３４ｂ：キーパー、３６：突起部、４０：人工歯肉部、４２：歯肉乳頭部、４４：乳頭間凹部、４６：歯肉凹部、１００：部分床義歯、１１０：残存歯、１１２：アンダーカット部、１２０：顎模型、１２２：歯槽堤、１２４：歯槽頂
【図１】
2015006253.tif 000003
【図２】
2015006253.tif 000004
【図３】
2015006253.tif 000005
【図４】
2015006253.tif 000006
【図５】
2015006253.tif 000007
【図６】
2015006253.tif 000008
【図７】
2015006253.tif 000009
【図８】
2015006253.tif 000010
【図９】
2015006253.tif 000011
【図１０】
2015006253.tif 000012
【図１１】
2015006253.tif 000013
【図１２】
2015006253.tif 000014
【図１３】
2015006253.tif 000015
【図１４】
2015006253.tif 000016
【図１５】
2015006253.tif 000017
【図１６】
2015006253.tif 000018